(57)【要約】【課題】  一方の装置において実体が生成されていない情報でも、予め当該情報の転送予約をしておき、実体が生成され次第自動的に他方の装置へ生成された情報を転送することができる電子機器装置、情報転送装置、情報転送方法及びそのプログラムを提供すること。【解決手段】  第１の時間に所定の記憶領域に記録するように設定されたコンテンツの識別情報を予め記憶し、記録設定されたコンテンツの記録が終了したときに、当該コンテンツの識別情報を受信し、予め記憶した識別情報と受信された識別情報とを照合し、照合の結果前記識別情報が一致すると判断された場合に、当該一致した識別情報を記憶し、当該記憶された識別情報に対応するコンテンツを、前記識別情報を基に前記所定の記憶領域から抽出して端末へ転送することとした。【選択図】  図２５
2005136527.tif 000002
【特許請求の範囲】
【請求項１】
コンテンツを第１の時間に記録するように設定する記録設定手段と、
前記記録設定手段による設定に基づいて、前記第１の時間に前記コンテンツを記録する記録手段と、
前記記録設定手段により設定された少なくとも１つのコンテンツを、端末に転送するように設定する転送設定手段と、
前記転送設定されたコンテンツが前記記録手段により記録されたことを検出する検出手段と、
前記記録が検出されたコンテンツを前記端末へ転送する転送手段と
を具備することを特徴とする電子機器装置。
【請求項２】
請求項１に記載の電子機器装置であって、
前記転送設定手段は、前記コンテンツを第２の時間に端末へ転送するように設定するものであり、
前記転送手段は、前記第２の時間になり前記検出手段による前記コンテンツの記録が検出されたとき、当該コンテンツを前記端末へ転送し、前記第２の時間になり前記検出手段による前記コンテンツの記録が検出されないとき、当該コンテンツを当該コンテンツの記録が検出された段階で前記端末へ転送することを特徴とする電子機器装置。
【請求項３】
請求項１に記載の電子機器装置であって、
前記端末との接続を確認する確認手段を更に具備し、
前記転送手段は、前記確認手段により前記端末との接続が確認されたときに前記コンテンツを前記端末へ転送することを特徴とする電子機器装置。
【請求項４】
請求項１に記載の電子機器装置であって、
前記転送手段は、前記転送設定された複数のコンテンツの総容量と、当該複数のコンテンツを転送する端末の記憶領域の空き容量とを比較する手段と、
前記比較の結果、前記空き容量の方が大きい場合に前記複数のコンテンツを前記端末へ転送し、前記空き容量の方が小さい場合に前記複数のコンテンツのうちその総容量が前記空き容量よりも小さくなる少なくとも１つのコンテンツを前記端末へ転送する手段とを有することを特徴とする電子機器装置。
【請求項５】
請求項１に記載の電子機器装置であって、
前記記録設定手段により第１の時間に記録するように設定されたコンテンツを更に一定の日間隔の第１の時間に周期的に記録するように設定する手段と、
前記周期的なコンテンツの記録の設定がされた場合であって、前記記録手段により所定の日の第１の時間に記録されたときには、所定の日から一定の日間隔をおいた日の第１の時間に前記コンテンツが記録されるように前記記録設定手段に対して設定する手段とを更に具備し、
前記転送設定手段は、当該一定の日間隔をおいた日の第１の時間のコンテンツの記録の設定がされたときに、当該設定されたコンテンツを前記端末に転送するように設定することを特徴とする電子機器装置。
【請求項６】
第１の時間に所定の記憶領域に記録するように設定されたコンテンツを、当該コンテンツを識別する識別情報を用いて端末に転送する装置であって、
前記記録設定されたコンテンツの識別情報を記憶する第１の記憶手段と、
前記コンテンツの記録が終了したときに、当該コンテンツの識別情報を受信する受信手段と、
前記記憶手段により記憶された識別情報と前記受信手段により受信された識別情報とを照合する照合手段と、
前記照合手段により前記識別情報が一致すると判断された場合に、当該一致した識別情報を記憶する第２の記憶手段と、
前記第２の記憶手段により記憶された識別情報に対応するコンテンツを、前記識別情報を基に前記所定の記憶領域から抽出して前記端末へ転送する転送手段と
を具備することを特徴とする情報転送装置。
【請求項７】
請求項６に記載の情報転送装置であって、
前記コンテンツを第２の時間に転送するように設定する転送設定手段を更に具備し、
前記第２の記憶手段は、前記第２の時間になり前記照合手段により前記識別情報が一致すると判断された場合に当該識別情報を記憶し、前記第２の時間になり前記照合手段により前記識別情報が一致しないと判断された場合に、前記識別情報が一致すると判断された段階で当該識別情報を記憶することを特徴とする情報転送装置。
【請求項８】
請求項６に記載の情報転送装置であって、
前記端末との接続を確認する確認手段を更に具備し、
前記転送手段は、前記確認手段により前記端末との接続が確認されたときに前記コンテンツを前記端末へ転送することを特徴とする電子機器装置。
【請求項９】
請求項６に記載の情報転送装置であって、
前記転送手段は、前記コンテンツが所定のフォーマットでない場合に、当該コンテンツを所定のフォーマットに変換する手段を有することを特徴とする情報転送装置。
【請求項１０】
第１の時間に所定の記憶領域に記録するように設定されたコンテンツを、当該コンテンツを識別する識別情報を用いて端末に転送する方法であって、
（ａ）前記記録設定されたコンテンツの識別情報を記憶するステップと、
（ｂ）前記コンテンツの記録が終了したときに、当該コンテンツの識別情報を受信するステップと、
（ｃ）前記ステップ（ａ）により記憶された識別情報と前記ステップ（ｂ）により受信された識別情報とを照合するステップと、
（ｄ）前記ステップ（ｃ）により前記識別情報が一致すると判断された場合に、当該一致した識別情報を記憶するステップと、
（ｅ）前記ステップ（ｄ）により記憶された識別情報に対応するコンテンツを、前記識別情報を基に前記所定の記憶領域から抽出して前記端末へ転送するステップと
を具備することを特徴とする情報転送方法。
【請求項１１】
請求項１０に記載の情報転送方法であって、
（ｆ）前記コンテンツを第２の時間に転送するように設定するステップを更に具備し、
前記ステップ（ｄ）は、前記第２の時間になり前記ステップ（ｃ）により前記識別情報が一致すると判断された場合に当該識別情報を記憶し、前記第２に時間になり前記ステップ（ｃ）により前記識別情報が一致しないと判断された場合に、前記識別情報が一致すると判断された段階で当該識別情報を記憶することを特徴とする情報転送方法。
【請求項１２】
請求項１０に記載の情報転送方法であって、
（ｇ）前記端末との接続を確認するステップを更に具備し、
前記ステップ（ｅ）は、前記ステップ（ｇ）により前記端末との接続が確認されたときに前記コンテンツを前記端末へ転送することを特徴とする電子機器方法。
【請求項１３】
請求項１０に記載の情報転送方法であって、
前記ステップ（ｅ）では、前記コンテンツが所定のフォーマットでない場合に、当該コンテンツを所定のフォーマットに変換することを特徴とする情報転送方法。
【請求項１４】
第１の時間に所定の記憶領域に記録するように設定されたコンテンツを、当該コンテンツを識別する識別情報を用いて端末に転送するためにコンピュータを、
前記記録設定されたコンテンツの識別情報を記憶する第１の記憶手段と、
前記コンテンツの記録が終了したときに、当該コンテンツの識別情報を受信する受信手段と、
前記記憶手段により記憶された識別情報と前記受信手段により受信された識別情報とを照合する照合手段と、
前記照合手段により前記識別情報が一致すると判断された場合に、当該一致した識別情報を記憶する第２の記憶手段と、
前記第２の記憶手段により記憶された識別情報に対応するコンテンツを、前記識別情報を基に前記所定の記憶領域から抽出して前記端末へ転送する転送手段、
として機能させるためのプログラム。
【発明の詳細な説明】
【技術分野】
【０００１】
本発明は、外部機器と通信を行い、画像等の情報を外部機器へ転送することができる電子機器装置、情報転送装置、情報処理方法及びそのプログラムに関する。
【背景技術】
【０００２】
近年、記録手段の大容量化と小型化に伴い、ハードディスクドライブ（以下、ＨＤＤという。）を内蔵した据置型の記録再生装置に記録された情報の一部を、同じくＨＤＤを内蔵した携帯型の再生装置にダウンロードし、屋外でその情報を利用できるようにしたシステムが開発されつつある。このようなシステムにおいては、据置型の記録再生装置は携帯型の再生装置を管理する立場となり、例えば携帯型の再生装置からのダウンロード要求に応じて携帯型の再生装置に情報を転送する。
（例えば、特許文献１参照。）。  
【特許文献１】特開２００２−１１８８１３号公報（図４等）
【発明の開示】
【発明が解決しようとする課題】
【０００３】
ところで、据置型の記録再生装置から携帯型の再生装置へ情報の転送を行う場合には、既に実体としてデータが存在するものが転送対象となっているため、例えばテレビ番組を録画した動画ストリームを転送する場合には、まだ録画予約段階の番組の動画ストリームは実体が存在しないため、転送することができない。よって、そのような場合には録画予約をした番組の録画が終了し、実体が生成されたことを確認してから転送を行うことになる。しかしながら、録画予約した番組の録画が終了したことを逐一確認し、その都度装置を操作して転送処理を行うことはユーザにとって大変な手間と時間を要し、利便性に欠けるものとなる。
【０００４】
以上のような事情に鑑み、本発明の目的は、一方の装置において実体が生成されていない情報でも、予め当該情報の転送予約をしておき、実体が生成され次第自動的に他方の装置へ生成された情報を転送することができる電子機器装置、情報転送装置、情報転送方法及びそのプログラムを提供することにある。
【課題を解決するための手段】
【０００５】
上記目的を達成するため、本発明の主たる観点に係る電子機器装置は、コンテンツを第１の時間に記録するように設定する記録設定手段と、前記記録設定手段による設定に基づいて、前記第１の時間に前記コンテンツを記録する記録手段と、前記記録設定手段により設定された少なくとも１つのコンテンツを、端末に転送するように設定する転送設定手段と、前記転送設定されたコンテンツが前記記録手段により記録されたことを検出する検出手段と、前記記録が検出されたコンテンツを前記端末へ転送する転送手段とを具備することを特徴としている。
【０００６】
ここでコンテンツとは、例えばテレビ番組を録画した動画ストリームや、インターネット等からダウンロードした動画ストリーム等である。また、上記第１の時間とは、例えばテレビ番組を録画予約する場合の録画予定時間である。
【０００７】
上記端末としては、例えば動画ストリームをＨＤＤに蓄積して再生することができる携帯型のＨＤＤ動画再生装置が挙げられる。
【０００８】
この構成によれば、コンテンツの記録が完了していなくても、その段階で転送を設定しておくだけで、記録完了後に自動的に端末へ転送することができるため、記録が完了したのを逐一確認してその都度操作して転送処理を行う必要がなくなり、ユーザが要する手間と時間を省略することができる。
【０００９】
ここで、前記転送設定手段は、前記コンテンツを第２の時間に端末へ転送するように設定するものであり、前記転送手段は、前記第２の時間になり前記検出手段による前記コンテンツの記録が検出されたとき、当該コンテンツを前記端末へ転送し、前記第２の時間になり前記検出手段による前記コンテンツの記録が検出されないとき、当該コンテンツを当該コンテンツの記録が検出された段階で前記端末へ転送するものであってもよい。
【００１０】
上記第２の時間とは、例えばユーザが上記端末への転送を所望する時間である。この構成により、上記第２の時間に転送するように設定しておくだけで、その時間に記録が完了しているものについては端末へ転送し、記録が完了していないものについては記録が完了次第自動的に転送することができるため、ユーザが所望する時間までに記録が完了しなかったコンテンツについても自動的に転送することができ、ユーザの利便性が向上する。
【００１１】
また、上記電子機器装置は、前記端末との接続を確認する確認手段を更に具備し、前記転送手段は、前記確認手段により前記端末との接続が確認されたときに前記コンテンツを前記端末へ転送するようにしてもよい。
【００１２】
上記端末との接続は、例えばＵＳＢケーブル等によって行われる。この構成により、上記端末と接続するだけで自動的に端末へコンテンツを転送することができる。
【００１３】
また、前記転送手段は、前記転送設定された複数のコンテンツの総容量と、当該複数のコンテンツを転送する端末の記憶領域の空き容量とを比較する手段と、前記比較の結果、前記空き容量の方が大きい場合に前記複数のコンテンツを前記端末へ転送し、前記空き容量の方が小さい場合に前記複数のコンテンツのうちその総容量が前記空き容量よりも小さくなる少なくとも１つのコンテンツを前記端末へ転送するようにしてもよい。
【００１４】
この構成により、転送対象のコンテンツの総容量が上記端末の空き容量より大きい場合でも、それらのコンテンツのうち上記端末に転送可能なコンテンツをできる限り転送することができる。
【００１５】
また、上記電子機器装置は、前記記録設定手段により第１の時間に記録するように設定されたコンテンツを更に一定の日間隔の第１の時間に周期的に記録するように設定する手段と、前記周期的なコンテンツの記録の設定がされた場合であって、前記記録手段により所定の日の第１の時間に記録されたときには、所定の日から一定の日間隔をおいた日の第１の時間に前記コンテンツが記録されるように前記記録設定手段に対して設定する手段とを更に具備し、前記転送設定手段は、当該一定の日間隔をおいた日の第１の時間のコンテンツの記録の設定がされたときに、当該設定されたコンテンツを前記端末に転送するように設定するようにしてもよい。
【００１６】
ここで、一定の日間隔とは例えば一日、一週間等の間隔であり、周期的な記録とは当該間隔で例えば毎日若しくは毎週第１の時間に繰り返し記録を行うことをいう。この構成により、周期的に記録をするように設定されたコンテンツについても、上記転送設定手段の設定により、上記端末に転送することが可能となる。
【００１７】
本発明の別の観点に係る情報転送装置は、第１の時間に所定の記憶領域に記録するように設定されたコンテンツを、当該コンテンツを識別する識別情報を用いて端末に転送する装置であって、前記記録設定されたコンテンツの識別情報を記憶する第１の記憶手段と、前記コンテンツの記録が終了したときに、当該コンテンツの識別情報を受信する受信手段と、前記記憶手段により記憶された識別情報と前記受信手段により受信された識別情報とを照合する照合手段と、前記照合手段により前記識別情報が一致すると判断された場合に、当該一致した識別情報を記憶する第２の記憶手段と、前記第２の記憶手段により記憶された識別情報に対応するコンテンツを、前記識別情報を基に前記所定の記憶領域から抽出して前記端末へ転送する転送手段とを具備することを特徴としている。
【００１８】
また、本発明の別の観点に係る情報転送方法は、第１の時間に所定の記憶領域に記録するように設定されたコンテンツを、当該コンテンツを識別する識別情報を用いて端末に転送する方法であって、（ａ）前記記録設定されたコンテンツの識別情報を記憶するステップと、（ｂ）前記コンテンツの記録が終了したときに、当該コンテンツの識別情報を受信するステップと、（ｃ）前記ステップ（ａ）により記憶された識別情報と前記ステップ（ｂ）により受信された識別情報とを照合するステップと、（ｄ）前記ステップ（ｃ）により前記識別情報が一致すると判断された場合に、当該一致した識別情報を記憶するステップと、（ｅ）前記ステップ（ｄ）により記憶された識別情報に対応するコンテンツを、前記識別情報を基に前記所定の記憶領域から抽出して前記端末へ転送するステップとを具備することを特徴としている。
【００１９】
更に、本発明の別の観点に係るプログラムは、第１の時間に所定の記憶領域に記録するように設定されたコンテンツを、当該コンテンツを識別する識別情報を用いて端末に転送するためにコンピュータを、前記記録設定されたコンテンツの識別情報を記憶する第１の記憶手段と、前記コンテンツの記録が終了したときに、当該コンテンツの識別情報を受信する受信手段と、前記記憶手段により記憶された識別情報と前記受信手段により受信された識別情報とを照合する照合手段と、前記照合手段により前記識別情報が一致すると判断された場合に、当該一致した識別情報を記憶する第２の記憶手段と、前記第２の記憶手段により記憶された識別情報に対応するコンテンツを、前記識別情報を基に前記所定の記憶領域から抽出して前記端末へ転送する転送手段、として機能させるものである。
【００２０】
ここで識別情報とは、例えばそれぞれのコンテンツに付与されるＩＤである。この構成によれば、上記識別情報を用いて当該識別情報に対応するコンテンツの記録及び転送を管理することにより、コンテンツの記録が完了していなくても、その段階で転送を設定しておくだけで、記録完了後に自動的に端末へ転送することができるため、記録が完了したのを逐一確認してその都度操作して転送処理を行う必要がなくなり、ユーザが要する手間と時間を省略することができる。
【００２１】
上記情報転送装置は、前記コンテンツを第２の時間に転送するように設定する転送設定手段を更に具備し、前記第２の記憶手段は、前記第２の時間になり前記照合手段により前記識別情報が一致すると判断された場合に当該識別情報を記憶し、前記第２の時間になり前記照合手段により前記識別情報が一致しないと判断された場合に、前記識別情報が一致すると判断された段階で当該識別情報を記憶するようにしてもよい。
【００２２】
また、上記情報転送方法は、（ｆ）前記コンテンツを第２の時間に転送するように設定するステップを更に具備し、前記ステップ（ｄ）は、前記第２の時間になり前記ステップ（ｃ）により前記識別情報が一致すると判断された場合に当該識別情報を記憶し、前記第２に時間になり前記ステップ（ｃ）により前記識別情報が一致しないと判断された場合に、前記識別情報が一致すると判断された段階で当該識別情報を記憶するようにしてもよい。
【００２３】
上記情報転送装置は、前記端末との接続を確認する確認手段を更に具備し、前記転送手段は、前記確認手段により前記端末との接続が確認されたときに前記コンテンツを前記端末へ転送するようにしてもよい。
【００２４】
また、上記情報転送方法は、（ｇ）前記端末との接続を確認するステップを更に具備し、前記ステップ（ｅ）は、前記ステップ（ｇ）により前記端末との接続が確認されたときに前記コンテンツを前記端末へ転送するようにしてもよい。
【００２５】
上記情報転送装置において、前記転送手段は、前記コンテンツが所定のフォーマットでない場合に、当該コンテンツを所定のフォーマットに変換するようにしてもよい。
【００２６】
また、上記情報転送方法において、前記ステップ（ｅ）では、前記コンテンツが所定のフォーマットでない場合に、当該コンテンツを所定のフォーマットに変換するようにしてもよい。
【発明の効果】
【００２７】
本発明によれば、一方の装置において実体が生成されていない情報でも、実体が生成され次第自動的に他方の装置に生成された情報を転送することができる。
【発明を実施するための最良の形態】
【００２８】
以下、本発明の実施の形態を図面に基づき説明する。
【００２９】
まず、本発明において、据置型の電子機器装置から動画ストリーム等のデータが転送される端末としての携帯型ＨＤＤ動画再生装置について説明する。
【００３０】
図１は、本発明の一実施形態に係る携帯型ＨＤＤ動画再生装置の外観を示す斜視図、図２は同じくこの携帯型ＨＤＤ動画再生装置１００を正面から示した平面図、図３は同じくその断面図、図４は同じくこの携帯型ＨＤＤ動画再生装置を上から見た平面図である。
【００３１】
この携帯型ＨＤＤ動画再生装置１００は、片手で持てる程度のサイズの筐体１を有する。筐体１の正面側には、ＬＣＤの画面部２と、キー操作部３と、操作ボタン４と、各種状態を表示するためのＬＥＤ（Light Emitting Diode）表示部５とが設けられている。
【００３２】
キー操作部３は、図２に示すように、互いに同芯で配置され、各々個別に操作可能な３つのキー３１，３２，３３で構成されている。中心にあるキーは選択／実行を指定するためのＥＮＴＥＲキー３１である。このＥＮＴＥＲキー３１の外側のキーはメニュー選択時において使用されるメニュー選択関連キー３２である。さらにその外側のキーは再生時に使用される再生関連キー３３である。
【００３３】
メニュー選択関連キー３２および再生関連キー３３はそれぞれ、ＥＮＴＥＲキー３１を中心とする上下左右の各々の位置が押下されることによって、対応するキーコマンドが発生するようになっている。メニュー選択関連キー３２が発生するキーコマンドは、後述する各種メニュー画面の中での項目を選択するためのフォーカスの位置の上下左右へのシフトなどである。再生関連キー３３が発生するキーコマンドは、再生の早送り、巻き戻し、音声ボリュームの増減などである。
【００３４】
操作ボタン４には、各種設定用の画面を呼び出すためのＳＥＴＵＰボタン４１、動画ストリームの再生経過（残り）時間などを表示するためのＤＩＳＰＬＡＹボタン４２、再生開始と一時停止を指示するための再生ボタン４３、再生停止を指示するための停止ボタン４４などがある。
【００３５】
ＬＥＤ表示部５には、パワーオン状態を表示するパワーオン表示部５１、バッテリ充電中を表示する充電表示部５２、ストリーム転送中などのビジィ状態を表示するビジィ表示部５３などがある。
【００３６】
筐体１の一方の側面部には、上から順にＤＣ電源接続のためのＤＣＩＮジャック６、ＵＳＢ（Universal Serial Bus）接続のためのＵＳＢコネクタ７、ＡＶ出力用のＡＶＯＵＴジャック８が設けられている。また、ストラップ取り付け部９も設けられている。筐体１の他方の側面部には主電源のＯＮ／ＯＦＦ操作のためのＰＷＲキー（図示省略）が設けられている。筐体１の上面部には、図４に示すように、ヘッドフォン用ジャック１０と、スリット状の多数の排気穴１１が並べて設けられている。筐体１の下部には、スリット状の多数の吸気穴１２が並べて設けられている。
【００３７】
図５は、図３の断面図における筐体１のみを示した図である。同図に示すように、筐体１は正面側の筐体部品１Ａ，中間の筐体部品１Ｂ，背面側の筐体部品１Ｃで構成されている。正面側の筐体部品１Ａと背面側の筐体部品１Ｃはそれぞれ携帯型ＨＤＤ動画再生装置１００の外形の主に正面と背面を形成する筐体部品である。中間の筐体部品１Ｂは携帯型ＨＤＤ動画再生装置１００の外形の上部側面と左右側面となる部分を有しており、この筐体１の上部側面となる部分には、図４に示したように上記の排気穴１１が設けられている。正面側の筐体部品１Ａと背面側の筐体部品１Ｃは中間の筐体部品１Ｂを挟んで互いに接合されている。筐体１の下部には半円断面形状部１５が形成されており、この半円断面形状部１５では正面側の筐体部品１Ａと背面側の筐体部品１Ｃは互いに直接突合せで接合されている。また、この半円断面形状部１５の正面側の筐体部品１Ａの側に上記の吸気穴１２が設けられている。中間の筐体部品１Ｂの下部は筐体１の下部の半円断面形状部１５に倣って断面Ｕ字状に曲折されている。この部分を中間の筐体部品１Ｂの曲折部１４と呼ぶ。
【００３８】
また、筐体１の正面側には、ＬＣＤの画面部２および操作ボタン４を覆うことのできる透明なアクリルカバー３５の着脱が可能となっており、このアクリルカバー３５によってＬＣＤの画面部２の傷や埃の付着などからの保護を図っている。このアクリルカバー３５には、キー操作部３の部分を露出する開口３６が設けられており、アクリルカバー３５を装着した状態でのキー操作部３の操作が可能となっている。
【００３９】
次に、この携帯型ＨＤＤ動画再生装置１００の内部の構造について説明する。
【００４０】
図３に示すように、筐体１内の部品は、携帯型ＨＤＤ動画再生装置１００の高さ方向において上寄りの位置に収容された部品群と下寄りの位置に収容された部品群とに配置上分けられている。上寄りの位置に収容された部品群としてはバックライト付のＬＣＤ２１、メイン基板２２、ＨＤＤ基板２３、ＨＤＤ２４、冷却ファン２５などがあり、下寄りの位置に収容された部品群としては複合インバータ基板２６、バッテリパック２７などがある。上寄りの位置に収容された、ＬＣＤ２１、メイン基板２２、ＨＤＤ２４は、携帯型ＨＤＤ動画再生装置１００内の主な発熱源であり、その発熱量を比較すると、ＬＣＤ２１>メイン基板２２>ＨＤＤ２４の順となることが一般である。
【００４１】
この携帯型ＨＤＤ動画再生装置１００では、これら主な発熱源である部品を、正面側から背面側に向けて、発熱量の高いものから順に配置している。このような配置の選定によって、背面側の筐体部品１Ｃの加熱を他の並び順に比べて最も低く抑えることができる。この携帯型ＨＤＤ動画再生装置１００はユーザが手に持って動画鑑賞を楽しめるように設計されたものであり、鑑賞時にはユーザの手が背面側の筐体部品１Ｃに最も広い面で接触することとなるので、背面側の筐体部品１Ｃの温度上昇を最小限に抑えられることで、熱による不快感をユーザに与える度合を軽減できる。
【００４２】
また、筐体１内の熱は、筐体１内の最上部に配置された冷却ファン２５がうみだす、筐体１の下部に設けられた吸気穴１２から、図４に示す筐体１の上部の排気穴１１を通じての気流によって外部に放出されるようになっている。これにより、筐体１内の発熱源は効率的に空冷されるので、ユーザへの熱問題はより一層軽減されることになる。
【００４３】
中間の筐体部品１ＢのＵ字状の曲折部１４の内側には、これに包囲されるようにして電源用のバッテリパック２７が配置されている。また、この曲折部１４の先端側にある平坦な面の正面側（画面側）には複合インバータ基板２６が支持されている。すなわち、バッテリパック２７と複合インバータ基板２６とは中間の筐体部品１Ｂの曲折部１４によって隔てられている。ここで、複合インバータ基板２６とは、操作ボタン４やキー操作部３の動作に関連する部品や、ＬＣＤ２１のバックライトを駆動するためのインバータなどが実装された基板である。このように、バッテリパック２７と複合インバータ基板２６とが中間の筐体部品１Ｂの曲折部１４によって隔てられていることで、バッテリパック２７からの液漏れによる複合インバータ基板２６への影響を回避できるとともに、キー操作部３が操作された際の圧力がバッテリパック２７に直接加わることを回避してバッテリパック２７の保護を図ることができる。
【００４４】
なお、バッテリパック２７は大きな熱源とはならないので、ユーザの手が最も密に触れる機会の多い下部背面寄りに配置しても問題ない。また、バッテリパック２７は筐体１内の部品の中で最も比重が高く重量が大きいので、筐体１の最下部に配置することによって、鑑賞中にユーザが携帯型ＨＤＤ動画再生装置１００を手で保持しているときの安定感が良好になる。
【００４５】
なお、この実施形態の携帯型ＨＤＤ動画再生装置１００では、図３に示したように、筐体１の下部に吸気穴１２を設けたが、図１２に示すように、筐体１の背面側のバッテリパック２７のすぐ上の位置に吸気穴１２を設けてもよい。
【００４６】
図１２は、この携帯型ＨＤＤ動画再生装置１００の内部構造を層ごとに示した平面図である。ＬＣＤ２１のバックライトは接続配線１３１を通じて複合インバータ基板２６の画面側面に固定されたコネクタ１３２と接続され、この接続配線１３１を通じて複合インバータ基板２６からＬＣＤ２１のバックライトにその点灯と制御に必要な信号が供給される。また、ＬＣＤ２１は接続配線１３３を通じてメイン基板２２の画面逆側面に固定されたコネクタ１３４と接続され、この接続配線１３３を通じてメイン基板２２からＬＣＤ２１に必要な信号が供給される。メイン基板２２と複合インバータ基板２６とは各々の画面側面に固定されたコネクタ１３５，１３６とコネクタ１３５，１３６間に接続された接続配線１３７を通じて電気的に接続され、相互に必要な信号の通信を行う。さらに、メイン基板２２の画面側面には２つの冷却ファン２５，２５に駆動信号を供給するための接続配線１３８，１３９の一端がそれぞれ接続された２つのコネクタ１４０，１４１が設けられている。メイン基板２２とＨＤＤ基板２３とは、メイン基板２２の画面逆側面に設けられたコネクタ１４２とＨＤＤ基板２３の画面側面に設けられたコネクタ１４３との間を接続する接続配線１４４によって相互に通信が行えるようになっている。メイン基板２２には、ＤＣ（直流）ＩＮジャック６、ＵＳＢコネクタ７、ＡＶ出力用のＡＶＯＵＴジャック８、ヘッドフォン用ジャック１０が設けられている。ＨＤＤ基板２３にはシステムをリセットするためのスイッチ１４５が設けられている。バッテリパック２７から引き出された接続配線１４６はメイン基板２２の画面側面に設けられたコネクタ１４７に接続されている。ＨＤＤ２４はＨＤＤ基板２３の画面逆側面に設けられたコネクタ１４８を通じてＨＤＤ基板２３と電気的に接続されている。
【００４７】
次に、この携帯型ＨＤＤ動画再生装置１００の電気的な構成について図６を用いて説明する。同図は主にメイン基板２２に実装された回路の構成を示すものである。
【００４８】
同図において、システムコントローラ６１には、操作用の各種キー３，４の操作、ＰＷＲキー６２の操作、ＡＣ（交流）電源の接続（ＡＣ検出）６３、リセットＩＣ６４の出力、バッテリ６５の電圧、温度センサー６６などの監視を行い、監視結果に応じた処理を実行する。リセットＩＣ６４はリセットＳＷ６７が操作されたときにリセット操作信号を発生するＩＣである。
【００４９】
システムコントローラ６１はＰＷＲキー６２が押されたことを検知すると、システムの起動処理を行い、各デバイスを動作可能な状態に初期設定する。また、パワーオン表示部５１を点灯するように制御を行う。システム稼動中にＰＷＲキー６２が押されたことを検知した場合にはシステムの終了処理を行う。
【００５０】
システムコントローラ６１はリセットＩＣ６４よりリセット操作信号を受信すると、システムをリセット処理すなわち終了処理に続いて起動処理を行う。
【００５１】
システムコントローラ６１はＡＣ電源の接続（ＡＣ検出）６３を検知すると電源回路６８の制御を行い、バッテリ６５の充電制御を行う。電源回路６８はその近傍に配置された温度センサー６９の出力に基づき、たとえば設定温度以上の高温が検出された場合に自動的にオフするようになっている。
【００５２】
システムコントローラ６１はバッテリ電圧の監視結果に基づいてバッテリ６５の残量を計算して画面上のバッテリ残量表示を制御する。
【００５３】
システムコントローラ６１は温度センサー６６の出力に基づいて冷却ファン２５の回転数を制御する。すなわち、温度に対して比例的に冷却能力を高めるように制御する。
【００５４】
また、システムコントローラ６１は、キー操作部３および操作ボタン４のキー操作を監視して、操作されたキーの種類に応じたイベント処理を行う。
【００５５】
システムコントローラ６１は、ＣＰＵ（Central Processing Unit）７１、ＲＡＭ（Random Access Memory）７２、ＲＯＭ（Read Only Memory）７３、Ａ／Ｄ変換回路７４、シリアルＰＷＭ（Pulse Width Modulation）制御回路７５などで構成され、これらはバス７６を通じて接続されている。ＣＰＵ７１はＲＯＭ７３に記憶されているファームウェアによりＲＡＭ７２を作業領域に用いて各種の演算処理と制御を実行する。Ａ／Ｄ変換回路７４は、上記した操作用の各種キー３，４の操作、ＰＷＲキー６２の操作、ＡＣ電源の接続（ＡＣ検出）６３、リセットＩＣ６４の出力、バッテリ６５の電圧、温度センサー６６などの監視結果であるアナログ値をデジタル値に変換する部分である。シリアルＰＷＭ制御回路７５はヘッドフォン８１のミュート制御、ＬＣＤ２１のバックライト８２の輝度を制御するＰＷＭ信号をインバータ８３に供給する。
【００５６】
ＵＳＢ端子８５が接続されたＵＳＢブリッジ８６、ＨＤＤ２４、ＤＭＡ（Direct Memory Access）転送回路８７はＩＤＥ（Integrated Drive Electronics）バス８８を通じて相互に接続されており、ＵＳＢ端子８５に接続されたＰＣから転送された動画ストリームなどのデータはＵＳＢブリッジ８６からＩＤＥバス８８を通じてＨＤＤ２４に記録されるようになっている。
【００５７】
ＤＭＡ転送回路８７は、ＨＤＤ２４から読み出されたデータをＭＰＥＧ２デコーダ８９に転送する回路である。ＤＭＡ転送回路８７は４つのセレクタ９０，９１，９２，９３とＤＭＡコントローラ９４とを有している。第１のセレクタ９０は、ＩＤＥバス８８のデータを選択するためのセレクタであり、システムコントローラ６１がＨＤＤ２４をアクセスするためのＡＴＡ（AT Attachment）コマンドに基づいてＤＭＡ転送回路８７をＩＤＥバス８８と接続状態にする。第１のセレクタ９０は、バッファメモリ９５に接続された第２のセレクタ９１と第１のＤＭＡ伝送路９６で接続されている。したがって、第１のセレクタ９０によりＩＤＥバス８８から抽出されたデータは第１のＤＭＡ伝送路９６、第２のセレクタ９１を通じてバッファメモリ９５に転送される。
【００５８】
このＨＤＤ２４からバッファメモリ９５へのデータ転送において、システムコントローラ６１は第１のセレクタ９０に出力するＡＴＡコマンドの発行タイミングを制御して、ＨＤＤ２４からのデータの読み出しが間欠的に行われるようにしている。具体的には、たとえば所定の再生時間分の動画ストリームの単位でＨＤＤ２４からデータを読み出してバッファメモリ９５に転送し、バッファメモリ９５のデータが空になったところで、ＨＤＤ２４から次の再生時間分の動画ストリームを読み出すように、システムコントローラ６１から第１のセレクタ９０に対してＡＴＡコマンドが発行される。これにより、ＨＤＤ２４に対するアクセスは間欠的に行われることになり、ＨＤＤ２４の発熱量の低減および消費電力の低減を図ることができる。
【００５９】
バッファメモリ９５に蓄積された動画などのデータは、バッファメモリ９５に所定の再生時間分の動画ストリームが蓄積されたところで第２のセレクタ９１によって読み出され、第２のセレクタ９１とＭＰＥＧ２デコーダ８９とを接続する第２のＤＭＡ伝送路９７を通じてＭＰＥＧ２デコーダ８９に転送される。ＭＰＥＧ２デコーダ８９は、ＭＰＥＧ２で符号化された動画ストリームをハードウェアで復号する回路である。ＳＤＲＡＭ９８はこのＭＰＥＧ２デコーダ８９の作業領域として用いられるランダムアクセス可能なメモリである。
【００６０】
ＭＰＥＧ２デコーダ８９の出力のうち動画データはＬＣＤコントローラ９９に送られ、このＬＣＤコントローラ９９によってＬＣＤ２１の駆動が制御されることによって動画の再生が行われる。一方、ＭＰＥＧ２デコーダ８９より出力された音声データはＤ／Ａコンバータ１０１によってアナログ信号に変換された後、ヘッドフォン端子１０に接続されたヘッドフォンに送られる。また、ＡＶＯＵＴ端子１０２には外部のテレビジョンなどが接続できるようになっており、ＡＶＯＵＴ端子１０２に外部のテレビジョンが接続されているときには、Ｄ／Ａコンバータ１０１のアナログ信号はリニアアンプ１０３にて必要なレベルに増幅されるようになっている。
【００６１】
ＤＭＡ転送回路８７の第３のセレクタ９２は、システムコントローラ６１およびフラッシュＲＯＭ１０４が接続されているバス１０５との間で通信を行うものである。第３のセレクタ９２はシステムコントローラ６１から発生したＡＴＡコマンドをバス１０５から抽出して制御線１０６を通じて第１のセレクタ９０に通知する。
【００６２】
ＨＤＤ２４には、読み出し専用のデータとして、タイトルリスト、メニュー、設定画面などの構成要素であるビットマップや文字コードなどのデータが格納されている。システムコントローラ６１は、このビットマップおよび文字コードをＨＤＤ２４から読み出す場合には、第３のセレクタ９２を通じてＤＭＡコントローラ９４にその旨を通知する。ＤＭＡコントローラ９４は、この通知を受けると、第１のセレクタ９０と第２のセレクタ９１とのＤＭＡ伝送路９６を有効にするとともに、第４のセレクタ９３を制御して、第２のセレクタ９１とＭＰＥＧ２デコーダ８９とを接続する第３のＤＭＡ伝送路１０７を有効にする。
【００６３】
ＨＤＤ２４から読み出されてバッファメモリ９５にビットマップとともに保持された文字コードは、第２のセレクタ９１、第３のセレクタ９２、バス１０５を通じてシステムコントローラ６１に送られる。システムコントローラ６１は、この文字コードに対応するビットマップデータをフラッシュＲＯＭ１０４から読み出して第３のセレクタ９２に返す。ＤＭＡコントローラ９４はシステムコントローラ６１より応答された文字コードに対応するビットマップデータを第３のセレクタ９２から第４のセレクタ９３に送り、バッファメモリ９５から第２のセレクタ９１を通じて読み出されたビットマップと合成してＭＰＥＧ２デコーダ８９に出力するように制御を行う。
【００６４】
なお、第３のＤＭＡ伝送路１０７はビットマップ伝送用に第２のＤＭＡ伝送路９７よりも広いバス幅を有している。たとえば、第２のＤＭＡ伝送路９７は８本のデータ線と４本の制御線とで構成されるのに対し、第３のＤＭＡ伝送路１０７は１６本のデータ線、２４本のアドレス線、３本の制御線で構成されている。これにより、動画ストリームの再生時とビットマップの再生時との間でユーザの体感速度に大きな差が生じないようにしている。
【００６５】
次に、この携帯型ＨＤＤ動画再生装置１００の操作と操作画面について説明する。図１３はパワーオンから動画再生が開始までの処理手順である。
【００６６】
この携帯型ＨＤＤ動画再生装置１００のＰＷＲキーがユーザによって押されると、このことがシステムコントローラ６１によって検出され、システムコントローラ６１はＲＯＭ７３に格納されたファームウェアに従って各デバイスの初期化を行う（ステップ１３０１）。この後、内蔵タイマーが起動される（ステップ１３０２）。続いて、ＵＳＢで接続されているＰＣから携帯型ＨＤＤ動画再生装置１００に動画ストリームの転送が開始され、転送が完了すると、携帯型ＨＤＤ動画再生装置１００はＰＣから転送完了通知を外部割り込みとして受ける（ステップ１３０３）。携帯型ＨＤＤ動画再生装置１００は、外部割り込みを受けると、画面に表示するメニューを作成して表示するメニュー処理を開始する（ステップ１３０４）。
【００６７】
最初に、図７に示すようなアクションメニュー３０１が作成されて表示される。このアクションメニュー３０１には、最後に再生された動画ストリームのタイトル名、作成日時、録画時間などの動画ストリームに関する情報３０２と、選択可能なアクションの種類を示す項目３０３〜３０７が表示されるようになっている。アクションの種類には「タイトル一覧表示に戻る」「続きから再生」「最初から再生」「削除」「ツメを折る」などがある。これらの項目３０３〜３０７のうちの一つにフォーカス３０８が位置しており、ユーザはキー操作部３のメニュー選択関連キー３２を操作することによって自在にフォーカス３０８の位置を上下にシフトさせることができる。フォーカス３０８の初期位置は常に「続きから再生」の項目にあり、前回再生を中断した時刻からの動画ストリームの鑑賞をフォーカス３０８のシフト操作無しで即座に開始できるようにしている。すなわち、ユーザはシステムの起動直後にアクションメニュー３０１が表示された後、そのままキー操作部３のＥＮＴＥＲキー３１を押すことによって前回再生を中断した時刻からの動画ストリームを鑑賞することができる。
【００６８】
「タイトル一覧表示に戻る」の項目にフォーカスをシフトさせてキー操作部３のＥＮＴＥＲキー３１が押された場合には、図８に示すようなタイトル一覧４０１がアクションメニュー３０１に代わって表示される。このタイトル一覧４０１には携帯型ＨＤＤ動画再生装置１００のＨＤＤ２４に記録されているすべての動画ストリームのタイトルの項目４０２〜４０８が表示される。これらのタイトルの項目４０２〜４０８のうちの一つにフォーカス４０９が位置しており、ユーザはキー操作部３のメニュー選択関連キー３２を操作することによって自在にフォーカス４０９の位置を上下にシフトさせることができる。フォーカス４０９の初期位置は常に最後に再生したタイトルの項目にあり、最後に鑑賞したタイトルをユーザが認識できるようにしている。このタイトル一覧４０１の中からユーザは鑑賞したいタイトルの項目にメニュー選択関連キー３２の操作によってフォーカスを移動させ、ＥＮＴＥＲキー３１を押すことによって別のタイトルを鑑賞することができる。
【００６９】
さて、図１３のフローチャートに戻り、上記のようにして鑑賞したいタイトルがユーザによって選択されると（ステップ１３０５）、そのタイトル動画ストリームのＨＤＤ２４からの読み込みが開始される（ステップ１３０６）。そしてＨＤＤ２４から読み込まれた動画ストリームの再生処理が行われる（ステップ１３０７）。すなわち、ＨＤＤ２４から読み出された動画ストリームはバッファメモリ９５にＤＭＡ転送されてバッファリングされた後、ＭＰＥＧ２デコーダ８９にＤＭＡ転送されて復号される。ＬＣＤコントローラ９９はＭＰＥＧ２デコーダ８９から出力された動画データに基づきＬＣＤ２１を駆動し、これによって動画がＬＣＤ２１の画面に表示される。一方、ＭＰＥＧ２デコーダ８９によって復号された音声データはＤ／Ａコンバータ１０１によってアナログ信号に変換された後、ヘッドフォン端子１０に接続されたヘッドフォンに送られる（ステップ１３０７）。
【００７０】
アクションメニュー３０１で「最初から再生」の項目３０５がユーザにより選択された場合には、最後に再生したタイトルの動画ストリームが最初から再生される。
【００７１】
アクションメニュー３０１で「削除」の項目３０６がユーザにより選択された場合には、最後に再生したタイトルの動画ストリームがＨＤＤ２４から削除される。すなわち、鑑賞し終わったタイトルの動画ストリームなどを、少ない操作でＨＤＤ２４から削除することができる。
【００７２】
アクションメニュー３０１で「ツメを折る」の項目３０７がユーザにより選択された場合には、ＨＤＤ２４に記録されている該当する動画ストリームに対して削除禁止の保護がかけられることになる。
【００７３】
次に、環境設定用の画面について説明する。図９はこの環境設定用の画面５０１を示している。この環境設定用の画面５０１は、たとえばＳＥＴＵＰボタン４１を押すことによって呼び出すことができる。環境設定用の画面５０１には、表示に関する各種の設定、音声に関する各種の設定、その他を行うことができる。この環境設定用の画面５０１には、表示設定用のアイコン５０２、音声設定用のアンコン５０３、その他のアイコン５０４などが表示されており、各アイコン５０２〜５０４のうちの一つをメニュー選択関連キー３２の操作によるフォーカスの移動とＥＮＴＥＲキー３１によって指定することができるようになっている。表示の設定に関しては、バックライトの輝度調整５０５、色合い５０６、色の濃さ５０７、ピクチャ５０８、コントラスト５０９、アラーム５１０などがある。各々の設定項目の選択も、メニュー選択関連キー３２の操作によるフォーカスの移動とＥＮＴＥＲキー３１によって行うことが可能である。
【００７４】
ここで、アラーム５１０とは、ユーザによって任意に設定された残り時間をタイマーにセットし、図１０に示すように、動画ストリームの再生中などに、残り時間５１１を常に画面の一部に表示し、残り時間がゼロになったところで、たとえばアラーム音声などを動画再生時の音声に合成して出力する機能である。テレビ放送などには放送中の時刻の文字が挿入されている場合があるので、携帯型ＨＤＤ動画再生装置１００での鑑賞時にユーザが現在時刻を間違え、電車などでの乗り過ごしが起き易くなることが考えられる。上記のアラーム機能を利用することによって、ユーザは動画コンテンツの鑑賞に没頭する中で、設定時間の経過をアラームで知ることとなり、電車などでの乗り過ごしの防止を図れる。
【００７５】
図１０は、動画ストリームの再生経過（残り）時間６０１を表示する画面６０２の例を示している。この動画ストリームの再生経過（残り）時間６０１は、たとえばＤＩＳＰＬＡＹボタン４２を押すことによって、再生中の動画ストリームの上に、数値６０２とイメージ６０３とで表示されるようになっている。
【００７６】
また、動画ストリームの再生中は、再生関連キー３３の操作によって再生の早送り、巻き戻し、音声ボリュームの増減などを行うことができる。再生関連キー３３は、図２に示したように、右側の位置を押すことによって早送りが実行され、左側の位置を押すことによって巻き戻しが行われる。再生関連キー３３の向かって右側の位置を一度押した場合には、決められた一定時間分（たとえば１５秒）の早送りが実行され、一定時間以上押し続けることによって、押されている間の連続早送りが実行されるようになっている。さらに、連続早送りが開始されてからさらに一定時間続けて押された場合には、早送り速度がアップするようになっている。具体的には、最初の連続早送りの速度は１５倍速とされ、次に６０倍速への切り替えが行われるようになっている。また、再生関連キー３３の向かって左側の位置を一度押した場合には、決められた一定時間分（たとえば１５秒）の巻き戻しが実行され、一定時間以上押し続けることによって、押されている間の連続巻き戻しが実行されるようになっている。さらに、連続巻き戻しが開始されてからさらに一定時間続けて押された場合には、巻き戻し速度がアップするようになっている。具体的には、最初の連続巻き戻しの速度は１５倍速とされ、次に６０倍速への切り替えが行われるようになっている。
【００７７】
次に、本実施形態において、これまで説明した携帯型ＨＤＤ動画再生装置１００へ動画ストリーム等のデータを転送するための据置型の電子機器装置について説明する。
【００７８】
本実施形態においては、電子機器装置としてＰＣ（Personal Computer）を適用し、当該ＰＣにおいて録画したテレビ番組等の動画ストリームを、上記携帯型ＨＤＤ動画再生装置１００へ転送する場合について説明する。
【００７９】
図１４は、本発明の一実施形態に係るＰＣ２００の構成を示したブロック図である。同図に示すように、ＰＣ２００は、テレビ放送受信部２０１、ＭＰＥＧエンジン２０２、ＨＤＤ２０３、表示部２０４、音響部２０５、ネットワークインターフェース２０６、ＣＰＵ２０８、ＲＡＭ２０９、ＲＯＭ２１０、操作入力部２１１、ＵＳＢインターフェース２１２を有し、それぞれがバス２１４によって接続されている。
【００８０】
テレビ放送受信部２０１は、図示しないアンテナ、チューナ及びデコーダ等からなる。放送局から放送されるアナログ放送やデジタル放送はアンテナにより受信され、ＣＰＵ２０８の制御の下、チューナにより選局される。選局されたデジタル放送及びアナログ放送はそれぞれビットストリームに変換され、ＭＰＥＧエンジン２０２へ送られる。
【００８１】
ＭＰＥＧエンジン２０２はＭＰＥＧエンコーダ、ＭＰＥＧデコーダ等からなる。ＭＰＥＧエンコーダはＭＰＥＧ２以外のフォーマットのデータをＭＰＥＧ２フォーマットに圧縮符号化し、ＭＰＥＧデコーダはビットストリームを映像に変換する。
【００８２】
ＨＤＤ２０３は、受信されビットストリームに変換されたテレビ番組データである動画ストリームを録画して蓄積するとともに、ネットワークインターフェース２０６を介してダウンロードした動画ストリーム等も蓄積する。
【００８３】
表示部２０４は、ＭＰＥＧデコーダにより変換された映像信号を出力するものであり、具体的には、ＣＲＴ（Cathode Ray Tube）、ＬＣＤ（Liquid Crystal Display）、ＰＤＰ(Plasma Display Panel)、ＯＥＬ(Organic Electroluminescence)などである。
【００８４】
音響部２０５は、図示しないアンプやスピーカ等からなり、ＭＰＥＧデコーダにより変換された音声信号をアンプにより増幅し、スピーカにより聴覚的に出力する。
【００８５】
ネットワークインターフェース２０６は、例えばアナログモデム、ＬＡＮ(Local Area Network)、ＩＳＤＮ(Integrated Services Digital Network)、ＡＤＳＬ(Asymmetric Digital Subscriber Line)、ＦＴＴＨ(Fiber-To-The-Home)、Ｂｌｕｅｔｏｏｔｈ、ＦＯＭＡ（Ｗ−ＣＤＭＡ）などであり、ネットワーク２０７との通信を可能とするものである。
【００８６】
ＣＰＵ２０８は、ＲＯＭ２１０に記憶されているファームウェアによりＲＡＭ２０９を作業領域に用いて各種の演算処理や制御を実行する。
【００８７】
ＲＡＭ２０９は、ランダムに読み取りと書き込みが可能な高速なメモリであり、必要に応じて一時的に映像情報、音響情報、データ及びソフト等を記録し、ＰＣ２００の制御をより円滑に行う。
【００８８】
ＲＯＭ２１０は、読み取り専用あるいは読み書き可能な不揮発性の記憶装置である。
【００８９】
操作入力部２１１は、具体的には、ジョグダイヤル、簡易キーボード、ＩＲ(Infrared)リモートコントローラ、プッシュボタンなどである。
【００９０】
ＵＳＢインターフェース２１２は、ＵＳＢ端子２１３に接続されており、ＨＤＤ２０３に蓄積した動画ストリームを、当該ＵＳＢ端子２１３を介して上記携帯型ＨＤＤ動画再生装置１００に転送することが可能となる。
【００９１】
次に、本実施形態において、上記ＨＤＤ２０３に蓄積した動画ストリームを上記携帯型ＨＤＤ動画再生装置１００に転送するために必要なアプリケーションについて説明する。
【００９２】
図１５は、本実施形態における転送システムの構成を概略的に示した図である。
【００９３】
同図に示すように、本実施形態においては、ＰＣ２００はテレビ放送受信部２０１が受信したテレビ番組等の動画ストリームを録画するための録画アプリケーションと、当該録画アプリケーションによって録画された動画ストリームを携帯型ＨＤＤ動画再生装置１００へ転送するための転送アプリケーションを有する。
【００９４】
録画アプリケーションは動画ストリームをＨＤＤ２０３に記憶し、転送アプリケーションは録画アプリケーションがＨＤＤ２０３から呼び出した動画ストリームを録画アプリケーションから取得し、上記携帯型ＨＤＤ動画再生装置１００へ転送する。
【００９５】
まず、録画アプリケーションについて説明する。当該録画アプリケーションでは、任意の日時の番組を単発的に録画予約する通常予約に加えて、例えば毎週若しくは毎日同一の時間帯に放送される番組を繰り返し録画予約する定期予約をすることもできる。
【００９６】
図１６は、録画アプリケーションによって動画ストリームが録画される動作を示すフロー図である。同図に示すように、まず、ユーザから録画予約するテレビ番組の日時とチャンネルが入力される（ＳＴ１６０１）。このとき、定期予約をする場合にはユーザはその番組を指定して定期予約の入力を行う。そして、当該番組の録画予約が通常予約か定期予約かを判断する（ＳＴ１６０２）。定期予約である場合（ＳＴ１６０２のＹＥＳ）には、例えば毎週予約する場合であれば、次週以降も同一時間帯にその番組を録画するための予約データを生成する（ＳＴ１６０３）。通常予約の場合（ＳＴ１６０２のＮＯ）にはその番組のみの予約データを生成する（ＳＴ１６０４）。予約データとしては、録画予約された番組の放送開始日時及び終了日時、タイトルのほか、録画された番組の動画ストリームを識別するための情報として、動画ストリームＩＤが生成され、記憶される。定期予約の場合には、それらのデータに加えて、定期的に録画予約する旨のフラグ情報を付加しておく。
【００９７】
次に転送アプリケーションは、上記予約データ中の動画ストリームＩＤを上記転送アプリケーションに送信する（ＳＴ１６０５）。このとき、転送アプリケーションは、必要に応じて当該送信された動画ストリームＩＤを記憶するが、詳細については後述する。そして、録画アプリケーションは、録画予約で設定された日時になったか否かを判断し（ＳＴ１６０６）、当該日時になり、テレビ放送受信部２０１がテレビ番組を受信すると録画を開始し（ＳＴ１６０７）、番組の終了時刻に録画を終了する（ＳＴ１６０８）。録画が終了すると、録画アプリケーションは転送アプリケーションに対して、動画ストリームＩＤを送信することにより、番組の録画が終了したことを報知する（ＳＴ１６０９）。そして、録画した番組が定期予約された番組か否かを判断し（ＳＴ１６１０）、定期予約された番組の場合（ＳＴ１６１０のＹＥＳ）には次回の録画処理を繰り返し行い（ＳＴ１６１１）、通常予約の場合（ＳＴ１６１０のＮＯ）には作業を終了する。
【００９８】
なお、録画された番組の画像ストリームは、ＨＤＤ２０３に記録される。また、録画予約された番組及び録画が終了した番組は、図１７に示すように、録画アプリケーションのウインドウ１７０１に表示される録画リストボックス１７０２によって管理される。当該録画リストボックス１７０２には、番組のタイトル、チャンネル、放送日時、録画済みか否かの状態及び録画済みの場合にはその番組の動画ストリームを作成した日時等のデータが録画順／録画予約順にたとえば上から下に表示される。
【００９９】
次に、上記録画アプリケーションによって録画された番組の動画ストリームを、上記携帯型ＨＤＤ動画再生装置へ転送するための転送アプリケーションについて説明する。
【０１００】
図１８は、上記２つのアプリケーションを用いて動画ストリームの転送を行う際に表示されるウインドウの例を示す図である。
【０１０１】
同図に示すように、動画ストリームの転送を行う際には、ユーザはまず、録画アプリケーション及び転送アプリケーションを起動させて、録画アプリケーションの録画リストボックス１７０２が表示されたウインドウ１７０１及び転送アプリケーションのウインドウ１８０１を呼び出す。そして、録画リストボックス１７０２中の所望の動画ストリームをマウスのドラッグアンドドロップなどの操作によって、転送アプリケーションのウインドウ１８０１内の転送リストボックス１８０２に落し込む。これにより、転送リストボックス１８０２に、当該動画ストリームのタイトル、チャンネル、録画日時、サイズ等の動画ストリームに関する情報が表示される。また、転送リストボックスには各動画ストリームのチェックボックス１８０３が設けられており、転送を所望する動画ストリームのチェックボックス１８０３をマウスでクリックしてチェックを入れ、転送ボタン１８０４をマウスでクリックする。このとき、ＰＣ２００に携帯型ＨＤＤ動画再生装置１００が接続されていればＰＣ２００から携帯型ＨＤＤ動画再生装置１００への動画ストリームの転送が直ちに開始される。転送ボタン１８０４をマウスでクリックした時点でＰＣ２００に携帯型ＨＤＤ動画再生装置１００が接続されていない場合は、携帯型ＨＤＤ動画再生装置１００が接続されると直ちに動画ストリームの転送が開始されるようになっている。なお、ＰＣ２００と携帯型ＨＤＤ動画再生装置１００との接続は、例えばＵＳＢインターフェース２１２及びＵＳＢ端子２１３からＵＳＢケーブルを介して行われる。
【０１０２】
ＰＣに蓄積される動画ストリームにはＡＶＩ（Audio Video Interleaved）、ＷＭＶ（Windows(登録商標) Media Video）など、様々なフォーマットがある。携帯型ＨＤＤ動画再生装置１００はＭＰＥＧ２フォーマットの動画ストリームをデコードして再生する仕様となっているので、転送アプリケーションは、ＰＣから携帯型ＨＤＤ動画再生装置１００への動画ストリームの転送前に、転送対象の動画ストリームがＭＰＥＧ２フォーマットか否かを判断し、ＭＰＥＧ２以外のフォーマットの場合には、ＭＰＥＧエンジン２０２によりフォーマットをＭＰＥＧ２に自動変換し、変換された動画ストリームを自動転送する。
【０１０３】
なお、転送リストボックス１８０２に表示されている動画ストリームは上から順に転送されるようになっているが、上記チェックボックス１８０３のチェックの有無のタイミングを変えることによって、転送する順番を変えることも可能である。また、削除したい選択動画ストリームをマウスで選択後、削除ボタン１８０５をクリックすることで、転送リストボックス１８０２から選択動画ストリームが削除されて転送対象から外すことも可能である。
【０１０４】
さらに、転送予定の動画ストリームの総容量が、携帯型ＨＤＤ動画再生装置１００の空き容量よりも大きい場合には、転送予定の動画ストリームのうち、リストの上から各動画ストリームの容量を足して、携帯型ＨＤＤ動画再生装置１００の空き容量を超えない限度の動画ストリームをリストの上から順に転送することも可能である。
【０１０５】
図１９は、上記転送リストボックス１８０２に表示される各動画ストリームを管理するために転送アプリケーション内部に記憶される転送リストテーブル１９０１を示す図である。
【０１０６】
同図に示すように、当該転送リストテーブル１９０１では、各動画ストリームの同外ストリームＩＤ、タイトル、録画日時、チャンネル名、動画ストリームの容量、総再生時間、チェックボックス等が管理されている。上記動画ストリームＩＤは、録画アプリケーションが録画予約をしたときに当該録画予約した番組に対して付与されるものである。転送アプリケーションは、上記録画アプリケーションの上記録画リストボックス１７０２からユーザがドラッグアンドドロップ等で転送リストボックス１８０２へ移動させたときに上記タイトル等の情報とともに動画ストリームＩＤを取得し、保存している。全ての動画ストリームには当該動画ストリームＩＤが付与されているため、当該動画ストリームＩＤにより各動画ストリームを識別することが可能となっている。転送アプリケーションは、携帯型ＨＤＤ動画再生装置１００に動画ストリームを転送するときには、ＨＤＤ２０３から上記動画ストリームＩＤにより動画ストリームを呼び出し、転送している。
【０１０７】
次に、上記転送アプリケーションが動画ストリームを転送する動作について図２０に示すフロー図を用いてより詳細に説明する。
【０１０８】
同図に示すように、まず、転送アプリケーションは、ＰＣ２００が携帯型ＨＤＤ動画再生装置１００に接続された状態でユーザが上記転送ボタン１８０４をクリックしたときに、転送という指示を受信する（ＳＴ２００１）と、転送リストボックス１８０２内でチェックボックス１８０３にチェックが付いている動画ストリーム、すなわち転送予定の動画ストリームの総容量を計算する（ＳＴ２００２）。各動画ストリームの容量は、上記転送リストボックス内部のテーブル１９０１に記憶されているため、上記計算が可能となる。また、携帯型ＨＤＤ動画再生装置１００のＨＤＤ２４の空き容量も計算し、転送予定の動画ストリームの総容量と比較する（ＳＴ２００３）。比較の結果、動画ストリームの総容量の方が小さい場合（ＳＴ２００３のＮＯ）には、転送予定の動画ストリームの動画ストリームＩＤを録画アプリケーションに送信し、録画アプリケーションに動画ストリームを要求する（ＳＴ２００６）。一方、動画ストリームの総容量が上記空き容量よりも大きい場合（ＳＴ２００３のＹＥＳ）には、転送予定の動画ストリームの中で、リストの上からそれぞれの動画ストリームの容量を見て、転送可能な動画ストリームがあるか否かを判断する（ＳＴ２００４）。すなわち、リストの上から順に転送予定の動画ストリームの容量を見て、上記空き容量よりも小さい動画ストリームがある場合には、転送可能な動画ストリームのみ転送するか否かをユーザに問い合わせる（ＳＴ２００５）。ユーザが転送しないという指示を入力した場合（ＳＴ２００５のＮＯ）には転送処理を終了する。ユーザが転送するという指示を入力した場合には、転送可能な動画ストリームを上記空き容量よりも大きくならない限度で転送するように設定して、それらの動画ストリームの動画ストリームＩＤを録画アプリケーションに送信する（ＳＴ２００６）。録画アプリケーションは、転送アプリケーションから受信した動画ストリームＩＤを用いて要求された動画ストリームをＨＤＤ２０３から検出して、転送アプリケーションに当該動画ストリームの実データを受信させる。当該動画ストリームの実データを受信した（ＳＴ２００７）転送アプリケーションは、当該動画ストリームがＭＰＥＧ２フォーマットであるか否かを判断する（ＳＴ２００８）。ＡＶＩ、ＷＭＶ等のＭＰＥＧ−２以外のフォーマットである場合（ＳＴ２００８のＮＯ）には、当該動画ストリームをＭＰＥＧ２フォーマットに変換する（ＳＴ２００９）。次に、転送後の携帯型ＨＤＤ動画再生装置１００での動画ストリームの早送り、巻き戻し用のデータを作成する（ＳＴ２００８）。すなわち、ＭＰＥＧ２フォーマットの動画ストリームからビデオパケットを取得し、当該パケット中のＧＯＰ（Group Of Pictures）に含まれるＩピクチャの開始位置と終了位置の実アドレスを登録する。携帯型ＨＤＤ動画再生装置１００は、当該実アドレスを取得することで動画ストリーム中の画像情報の早送り、巻き戻し再生が可能となる。続いて転送アプリケーションは、携帯型ＨＤＤ動画再生装置１００における音声切替用のデータを書き込む（ＳＴ２０１１）。すなわち、ＭＰＥＧ２フォーマットの動画ストリームからオーディオパケットを取得し、当該パケット中のヘッダを���み込み、このヘッダ１２３の中の、オーディオの出力モード（ステレオ／モノラル）を示すビットの値からオーディオの出力モードを取得する。これにより、携帯型ＨＤＤ動画再生装置１００は、動画ストリーム中の音声情報の早送り、巻き戻し再生が可能となる。以上の動作を、転送予定の全ての動画ストリーム分繰り返して（ＳＴ１０１２のＮＯ）、全ての動画ストリームを転送すると（ＳＴ１０１２のＹＥＳ）、転送処理は終了する。
【０１０９】
以上は、ユーザが手動で所望の動画ストリームを転送する場合の動作であるが、この動画ストリームには容量が数Ｇ（ギガ）のものもあり、全ての動画ストリームについて手動で転送処理操作を行っていては、かなりの時間を要する場合がある。
【０１１０】
そこで、この転送アプリケーションには、上記転送ボタン１８０４をクリックしなくとも、予め設定しておけば自動的に転送を行う自動転送機能が設けられている。
【０１１１】
この自動転送機能を利用する場合には、転送アプリケーションのウインドウ１８０１内の自動転送ボタン１８０６をマウスでクリックする。すると、図２１に示すように、ＰＣ２００が携帯型ＨＤＤ動画再生装置１００に接続された時に自動的に転送が開始されるように設定するか、若しくは自動転送を開始する時刻を設定する（タイマー転送）ためのウインドウが表示される。ユーザは、そのどちらかの方法を選択し、タイマー転送を設定する場合にはユーザが希望する転送開始時刻を入力して決定する。
【０１１２】
転送アプリケーションは、携帯型ＨＤＤ動画再生装置１００への接続時に自動転送を行う場合には、接続が確認された時点で直ちに、転送リストボックス１８０２に表示されている動画ストリームのうち既に録画が終了しているものを上から順に転送処理する。また、タイマー転送の場合には、ユーザにより指定された転送開始時刻を記憶し、時計の時刻と比較して、指定された時刻になったなら、同様にＰＣ２００から携帯型ＨＤＤ動画再生装置１００へ転送する。
【０１１３】
図２２は、タイマー転送で自動転送を行う場合の動作を示すフロー図である。同図に示すように、まず、転送アプリケーションは、上記ユーザの入力により、転送を行う時間を設定して、タイマーをＯＮにする（ＳＴ２２０１）。そして、設定した時刻になったか否かを判断し（ＳＴ２２０２）、設定時刻になったなら（ＳＴ２２０２のＹＥＳ）、ＯＳ（Operating System）からその旨の通知を受信する（ＳＴ２２０３）。そして、転送という指示を受信して（ＳＴ２２０４）、あとは主動転送の場合と同様に転送処理を行う（ＳＴ２２０５）。
【０１１４】
以上の動作により、ユーザは転送アプリケーションのウインドウ１８０１上で転送ボタン１８０４をクリックする操作をしなくとも、予め設定しておくことで自動的に転送処理を行うことができ、利便性が向上する。
【０１１５】
ところで、上記録画アプリケーションで管理されている動画ストリームのうち、まだ録画が完了していない動画ストリームについては、録画完了後でないと転送することができないが、録画完了を待って逐一転送アプリケーションを起動させ、転送処理の操作を行うことはユーザにとって面倒である。
【０１１６】
そこで、この転送アプリケーションには、まだ録画が完了していない動画ストリームであっても、予め転送の予約をしておき、その後録画が完了次第自動的に携帯型ＨＤＤ動画再生装置１００へ転送できるという転送予約機能が設けられている。
【０１１７】
図２３は、転送アプリケーションにおいて当該転送予約を行う際に表示されるウインドウの例を示した図である。
【０１１８】
同図に示すように、転送予約を行う場合、転送アプリケーションのウインドウ１８０１内の転送予約ボタン１８０７をマウスでクリックすると、転送予約リストボックス１８０８が表示される。そして、上記図１８で説明したのと同様に、転送予約したい動画ストリームを録画アプリケーションのウインドウ１７０１からドラッグアンドドロップなどの操作により転送予約リストボックス１８０８に落とし込むことにより、転送予約リストが作成される。
【０１１９】
そして、当該転送予約リストボックス１８０８中の動画ストリームは、録画が終了した時点で自動的に転送リストボックス１８０２へ移動されるようになっている。その後は、上述したのと同様に、ユーザが転送ボタン１８０４をクリックして手動転送することもできるし、上記自動転送機能を用いて、携帯型ＨＤＤ動画再生装置１００に接続時に自動転送したり、タイマー転送により自動転送したりすることができる。
【０１２０】
なお、上記転送予約リストボックス１８０８に動画ストリームが登録された場合には、当該転送予約リストボックス１８０８は、上記転送リストテーブル１９０１に記憶された事項のうち、「チェックボックスのチェックの有無」の項目以外は全て同様の事項をテーブルに記憶し、管理している。
【０１２１】
図２４は、上記転送予約リストボックスから上記転送リストボックスへ動画ストリームが移動される場合の動作を示したフロー図である。
【０１２２】
同図に示すように、まず、録画アプリケーションによる録画が終了すると、転送アプリケーションは、録画アプリケーションから、当該録画が終了したことを上記動画ストリームＩＤとともに受信する（ＳＴ２４０１）。そして受信した動画ストリームＩＤと、上記転送予約リストボックス１８０８のテーブルに記憶された動画ストリームＩＤとを比較して（ＳＴ２４０２）、一致した場合には転送予約リストボックス１８０８のテーブルから当該動画ストリームＩＤを削除し（ＳＴ２４０３）、当該動画ストリームＩＤを転送リストボックスのテーブルに追加する。これにより、録画が終了した動画ストリームについて、転送予約リストボックス１８０８から転送リストボックス１８０２への移動がなされ、その後は上述したのと同様の処理で、携帯型ＨＤＤ動画再生装置１００への転送が可能となる。
【０１２３】
なお、転送アプリケーションにおいては、録画アプリケーションで録画予約した動画ストリームを、全て携帯型ＨＤＤ動画再生装置１００に転送するように登録することもできる。ここでは、この機能を自動登録機能と呼ぶ。上述したように、録画アプリケーションは録画予約をすると、動画ストリームＩＤを転送アプリケーションに送信して録画予約が設定されたことを通知する。このとき転送アプリケーション側で自動登録を設定していた場合には、転送アプリケーションは、当該動画ストリームＩＤを基に、録画アプリケーション側から、その動画ストリームＩＤに対応する動画ストリームのタイトル、チャンネル等の情報を取得して、転送予約リストボックス１８０８にそれらの情報を追加する。その後は上述したのと同様の動作で転送リストボックス１８０２へ移動し、転送処理される。
【０１２４】
以上により、録画が完了していない動画ストリームであっても、上記転送予約機能を用いることで、録画完了を逐一確認する等の手間や時間を要さずに、録画が完了次第転送することが可能となる。特に、転送予約機能と自動転送機能のタイマー転送とを併用することにより、転送したい未録画の動画ストリームを転送予約しておき、携帯型ＨＤＤ動画再生装置１００にＰＣ２００を接続して自動転送を設定しておけば、その後はユーザは何の操作もせずに転送を行うことが可能となる。例えば、ユーザが夜中寝ている間に録画された番組を携帯型ＨＤＤ動画再生装置１００に自動転送させて、朝起きたときには携帯型ＨＤＤ動画再生装置１００において再生可能な状態にしておくというように、ユーザがＰＣ２００を操作できない時間帯に転送予約を設定しておくことで、ユーザの利便性が飛躍的に向上する。
【０１２５】
ところで、上述したように、上記録画アプリケーションにおいては、任意の日時に放送される番組を予約する通常予約のほかに、毎週や毎日同一の時間帯に放送される番組を繰り返し継続的に録画予約するという定期予約をすることもできるが、転送アプリケーションは、この定期予約機能と連動して、定期予約された番組の動画ストリームを携帯型ＨＤＤ動画再生装置に自動的に転送する機能を有する。なお、この機能は、上述した自動登録機能とともに利用する必要がある。
【０１２６】
録画アプリケーションにおいて定期予約を設定している場合には、その番組が放送される直近の日時の予約を設定し、動画ストリームＩＤを付与する。そして、当該設定された番組の録画を完了すると同時に次回の予約を設定し、そのときに新たに動画ストリームＩＤが付与され、この処理が繰り返される。このような流れにおいて録画アプリケーションは、次回の予約を設定する度に、転送アプリケーションに当該予約した番組の動画ストリームＩＤを送信する。そして、転送アプリケーションは、当該動画ストリームＩＤを基にタイトル等の必要情報を取得し、転送予約リストボックス１８０８にそれらの情報を追加する。その後は、自動登録機能と連動して、定期予約した番組が全て携帯型ＨＤＤ動画再生装置１００へ転送される。
【０１２７】
このような機能を有することにより、例えば毎週１回放送される連続ドラマ等を、録画アプリケーションにおいて毎週予約する設定にしておけば、複雑な操作をすることなく、当該番組を常に携帯型ＨＤＤ動画再生装置１００に転送して再生することが可能となる。
【０１２８】
図２５は、以上説明した録画アプリケーションと転送アプリケーション間における情報の流れをまとめて示したシーケンス図である。
【０１２９】
同図に示すように、まず、録画アプリケーションは、番組の録画を予約し（ＳＴ２５０１）、動画ストリームＩＤ等のデータを生成して記憶する。そして、当該動画ストリームＩＤを転送アプリケーションに送信する（ＳＴ２５０２）。このとき、転送アプリケーション側で上記自動登録を設定している場合には、この動画ストリームＩＤが転送予約機能により転送予約リストボックス１８０８に追加される（ＳＴ２５０４）。転送アプリケーションが自動登録を設定していない場合には、転送アプリケーションは当該受信した動画ストリームＩＤに対しては何の処理も行わない。また、ユーザのドラッグアンドドロップ等の操作により、未録画の動画ストリームの動画ストリームＩＤが転送アプリケーション側に移動された場合（ＳＴ２５０３）にも、当該動画ストリームＩＤが上記転送予約リストボックス１８０８に追加される。そして、録画アプリケーションは、録画が終了すると（ＳＴ２５０５）録画した動画ストリームの動画ストリームＩＤを転送アプリケーションに送信することにより録画終了を通知する（ＳＴ２５０６）。転送アプリケーションは、当該動画ストリームＩＤを受信すると（ＳＴ２５０７）、前回受信した動画ストリームＩＤと比較する（ＳＴ２５０８）。比較の結果、動画ストリームＩＤが一致した場合には、当該動画ストリームＩＤに対応する動画ストリームの録画が終了したと判断して、転送予約リストボックス１８０８から当該動画ストリームＩＤを削除する（ＳＴ２５０９）とともに、転送リストボックス１８０２に当該動画ストリームＩＤを移動する（ＳＴ２５１０）。転送リストボックスでは、当該動画ストリームＩＤを追加する（ＳＴ２５１２）。なお、ユーザが既に録画が終了した動画ストリームを直接転送リストボックス１８０２に移動する場合（ＳＴ２５１１）には、転送予約リストボックス１８０８を経由せずに転送リストボックス１８０２に動画ストリームＩＤが追加される。そして、転送アプリケーションは、携帯型ＨＤＤ動画再生装置１００に接続されているか等、転送可能かのチェックを行い（ＳＴ２５１３）、またタイマー転送が設定されている場合には当該設定時刻になったか否かのチェックを行う（ＳＴ２５１４）。これらの条件が整ったら、転送アプリケーションは、録画アプリケーションに対して動画ストリームＩＤを送信することにより動画ストリームの実データを要求する（ＳＴ２５１５）。当該要求を受信した録画アプリケーションは、ＨＤＤ２０３から動画ストリームＩＤを基に動画ストリームの実データを抽出し（ＳＴ２５１６）、転送アプリケーションに送信する（ＳＴ２５１７）。当該動画ストリームの実データを受信した転送アプリケーションは、当該データがＭＰＥＧ２フォーマットであるかのチェックをし、ＭＰＥＧ２フォーマットでない場合にはＭＰＥＧエンジン２０２によりＭＰＥＧ２フォーマットに変換し、動画ストリームを携帯型ＨＤＤ動画再生装置１００で再生するための早送り、巻き戻し用のデータや音声切替用のデータを書き込む等の処理を行う（ＳＴ２５１８）。これらの作業が全て終了すると、携帯型ＨＤＤ動画再生装置１００へ当該動画ストリームを転送する（ＳＴ２５１９）。これらの処理は、全ての動画アプリケーションを転送するまで繰り返される。
【０１３０】
なお、本発明は以上説明した実施の形態には限定されるものではなく、種々の変形が可能である。例えば、上記実施形態においては、録画されたテレビ番組を転送する例を説明したが、インターネット上で放映されるいわゆるネットムービー等をダウンロード予約するとともに転送予約もしておき、ダウンロードが完了次第携帯型ＨＤＤ動画再生装置１００に転送するというように、様々なメディアから取得したコンテンツを転送することが可能である。
【図面の簡単な説明】
【０１３１】
【図１】本発明の一実施形態にかかる携帯型ＨＤＤ動画再生装置の外観を示す斜視図である。
【図２】図１の携帯型ＨＤＤ動画再生装置を正面から示した平面図である。
【図３】図１の携帯型ＨＤＤ動画再生装置の断面図である。
【図４】図１の携帯型ＨＤＤ動画再生装置を上から見た平面図である。
【図５】図３の断面図における筐体１を示した図である。
【図６】メイン基板に実装された回路の構成を示す図である。
【図７】アクションメニューを示す図である。
【図８】タイトル一覧を示す図である。
【図９】環境設定画面を示す図である。
【図１０】動画ストリームの再生経過（残り）時間を表示する画面を示す図である。
【図１１】本発明の携帯型ＨＤＤ動画再生装置の他の実施形態を示す断面図である。
【図１２】図１の携帯型ＨＤＤ動画再生装置の内部構造を層毎に示した平面図である。
【図１３】図１の携帯型ＨＤＤ動画再生装置のパワーオンから動画再生が開始までの処理手順を示す図である。
【図１４】本発明の一実施形態に係るＰＣ２００の構成を示したブロック図である。
【図１５】本実施形態における転送システムの構成を概略的に示した図である。
【図１６】録画アプリケーションによって動画ストリームが録画される動作を示すフロー図である。
【図１７】録画アプリケーションにおいて表示される録画リスト画面を示す図である。
【図１８】録画アプリケーション及び転送アプリケーションを用いて動画ストリームの転送を行う際に表示されるウインドウの例を示す図である。
【図１９】転送リストボックス１８０２に表示される各動画ストリームを管理するために転送アプリケーション内部に記憶される転送リストテーブル１９０１を示す図である。
【図２０】転送アプリケーションが動画ストリームを転送する動作を示すフロー図である。
【図２１】自動転送機能を利用する場合に表示されるウインドウを示した図である。
【図２２】タイマー転送で自動転送を行う場合の動作を示すフロー図である。
【図２３】転送アプリケーションにおいて当該転送予約を行う際に表示されるウインドウの例を示した図である。
【図２４】転送予約リストボックスから上記転送リストボックスへ動画ストリームが移動される場合の動作を示したフロー図である。
【図２５】録画アプリケーションと転送アプリケーション間における情報の流れをまとめて示したシーケンス図である。
【符号の説明】
【０１３２】
１００…携帯型ＨＤＤ動画再生装置
２００…ＰＣ
２０１…テレビ放送受信部
２０２…ＭＰＥＧエンジン
２０３…ＨＤＤ
２０４…表示部
２０５…音響部
２０６…ネットワークインターフェース
２０７…ネットワーク
２０８…ＣＰＵ
２０９…ＲＡＭ
２１０…ＲＯＭ
２１１…操作入力部
２１２…ＵＳＢインターフェース
２１３…ＵＳＢ端子
２１４…バス
【図１】
2005136527.tif 000003
【図２】
2005136527.tif 000004
【図３】
2005136527.tif 000005
【図４】
2005136527.tif 000006
【図５】
2005136527.tif 000007
【図６】
2005136527.tif 000008
【図７】
2005136527.tif 000009
【図８】
2005136527.tif 000010
【図９】
2005136527.tif 000011
【図１０】
2005136527.tif 000012
【図１１】
2005136527.tif 000013
【図１２】
2005136527.tif 000014
【図１３】
2005136527.tif 000015
【図１４】
2005136527.tif 000016
【図１５】
2005136527.tif 000017
【図１６】
2005136527.tif 000018
【図１７】
2005136527.tif 000019
【図１８】
2005136527.tif 000020
【図１９】
2005136527.tif 000021
【図２０】
2005136527.tif 000022
【図２１】
2005136527.tif 000023
【図２２】
2005136527.tif 000024
【図２３】
2005136527.tif 000025
【図２４】
2005136527.tif 000026
【図２５】
2005136527.tif 000027
【手続補正書】
【提出日】平成16年8月31日(2004.8.31)
【手続補正１】
【補正対象書類名】特許請求の範囲
【補正対象項目名】全文
【補正方法】変更
【補正の内容】
【特許請求の範囲】
【請求項１】
コンテンツを第１の時間に記録するように設定する記録設定手段と、
前記記録設定手段による設定に基づいて、前記第１の時間に前記コンテンツを記録する記録手段と、
前記記録設定手段により設定された少なくとも１つのコンテンツを、端末に転送するように設定する転送設定手段と、
前記転送設定されたコンテンツが前記記録手段により記録が完了されたことを検出する検出手段と、
前記記録の完了が検出されたコンテンツを前記端末へ転送する転送手段と
を具備することを特徴とする電子機器。
【請求項２】
請求項１に記載の電子機器であって、
前記転送設定手段は、前記コンテンツを第２の時間に前記端末へ転送するように更に設定でき、
前記転送手段は、前記第２の時間になったとき記録の完了が検出されている前記コンテンツを前記端末へ転送することを特徴とする電子機器。
【請求項３】
請求項１に記載の電子機器であって、
前記端末との接続を確認する確認手段を更に具備し、
前記転送手段は、前記確認手段により前記端末との接続が確認されたときに前記コンテンツを前記端末へ転送することを特徴とする電子機器。
【請求項４】
請求項１に記載の電子機器であって、
前記転送設定された複数のコンテンツの総容量と、当該複数のコンンツを転送する端末の記憶領域の空き容量とを比較する手段を備え、
前記転送手段は、前記比較の結果に基づき、前記空き容量が前記総容量より小さい場合に前記空き容量よりも総容量が小さくなる少なくとも１つのコンテンツを前記端末へ転送することを特徴とすることを特徴とする電子機器。
【請求項５】
請求項１に記載の電子機器であって、
前記記録設定手段は、更に一定の日間隔の前記第１の時間に周期的に記録するように設定可能であることを特徴とする電子機器。
【請求項６】
第１の時間に所定の記憶領域に記録するように設定されたコンテンツを端末に転送する装置であって、
前記記録設定された前記コンテンツの転送を予約する転送予約手段と、
前記転送予約された前記コンテンツの識別情報を記憶する第１の記憶手段と、
前記コンテンツの記録が終了したときに、当該コンテンツの識別情報と前記記憶手段により記憶された前記識別情報とを照合する照合手段と、
前記照合手段により前記識別情報が一致すると判断された場合に、当該一致した前記識別情報を記憶する第２の記憶手段と、
前記第２の記憶手段により記憶された前記識別情報に対応する前記コンテンツを、前記識別情報を基に前記所定の記憶領域から抽出して前記端末へ転送する転送手段と
を具備することを特徴とする情報転送装置。
【請求項７】
請求項６に記載の情報転送装置であって、
前記コンテンツを第２の時間に転送するように設定する転送設定手段を更に具備し、
前記第２の記憶手段は、前記第２の時間になり前記照合手段により前記識別情報が一致すると判断された場合に当該識別情報を記憶し、前記第２の時間になり前記照合手段により前記識別情報が一致しないと判断された場合に、前記識別情報が一致すると判断された段階で当該識別情報を記憶することを特徴とする情報転送装置。
【請求項８】
請求項６に記載の情報転送装置であって、
前記端末との接続を確認する確認手段を更に具備し、
前記転送手段は、前記確認手段により前記端末との接続が確認されたときに前記コンテンツを前記端末へ転送することを特徴とする情報転送装置。
【請求項９】
請求項６に記載の情報転送装置であって、
前記転送手段は、前記コンテンツが所定のフォーマットでない場合に、当該コンテンツを所定のフォーマットに変換する手段を有することを特徴とする情報転送装置。
【請求項１０】
第１の時間に所定の記憶領域に記録するように予約設定されたコンテンツを端末に転送する方法であって、
前記記録の予約設定されたコンテンツの識別情報を記憶するステップと、
記録が終了したコンテンツの識別情報を受信するステップと、
前記記録の予約設定されたコンテンツの識別情報と記録が終了したコンテンツの識別情報とを照合するステップと、
前記識別情報が一致すると判断された場合に、当該一致した識別情報を記憶するステップと、
一致した前記識別情報に対応するコンテンツを前記所定の記憶領域から抽出して前記端末へ転送するステップと
を具備することを特徴とする情報転送方法。
【請求項１１】
請求項１０に記載の情報転送方法であって、
前記コンテンツを第２の時間に転送するように設定するステップを更に具備することを特徴とする情報転送方法。
【請求項１２】
請求項１０に記載の情報転送方法であって、
前記端末との接続を確認するステップを更に具備し、
前記転送ステップは、前記端末との接続が確認されたときに前記コンテンツを前記端末へ転送することを特徴とする情報転送方法。
【請求項１３】
請求項１０に記載の情報転送方法であって、
前記転送ステップは、前記コンテンツが所定のフォーマットでない場合に、当該コンテンツを前記所定のフォーマットに変換することを特徴とする情報転送方法。
【請求項１４】
第１の時間に所定の記憶領域に記録するように設定されたコンテンツを、当該コンテンツを識別する識別情報を用いて端末に転送するためにコンピュータを、
前記記録設定されたコンテンツの識別情報を記憶する第１の記憶手段と、
前記コンテンツの記録が終了したときに、当該コンテンツの識別情報を受信する受信手段と、
前記記憶手段により記憶された識別情報と前記受信手段により受信された識別情報とを照合する照合手段と、
前記照合手段により前記識別情報が一致すると判断された場合に、当該一致した識別情報を記憶する第２の記憶手段と、
前記第２の記憶手段により記憶された識別情報に対応するコンテンツを、前記識別情報を基に前記所定の記憶領域から抽出して前記端末へ転送する転送手段、
として機能させるためのプログラム。
【請求項１５】
所望のコンテンツを予約録画可能な電子機器において、
録画の予約がされたコンテンツを端末に転送することを予約する手段と、
前記コンテンツを受信するチューナと、
受信した前記コンテンツを所定の圧縮フォーマットで圧縮する手段と、
圧縮された前記コンテンツを記憶する手段と、
圧縮された前記コンテンツを前記転送の予約に従って前記端末に転送する転送手段と
を有することを特徴とする電子機器。
【請求項１６】
前記端末の接続を検出する手段を更に備え、
前記転送手段は、前記端末の接続を検出したときに前記転送の予約に基づいて、記憶されている前記コンテンツを転送することを特徴とする請求項１５に記載の電子機器。
【請求項１７】
記憶された前記コンテンツを前記端末に転送する時間を設定する手段を更に備え、
前記転送手段は、設定された前記転送時間に、前記転送の予約に基づいて、記憶されている前記コンテンツを転送することを特徴とする請求項１５に記載の電子機器。
【請求項１８】
予約録画したコンテンツを端末に転送する情報転送方法において、
録画の予約がされたコンテンツを前記端末に転送することを予約するステップと、
前記コンテンツを所定の圧縮フォーマットで圧縮するステップと、
圧縮された前記コンテンツを記憶装置に記憶するステップと、
前記転送の予約に従って、圧縮された前記コンテンツを前記記憶装置から読み出して前記端末に転送するステップと
を有することを特徴とする情報転送方法。
【請求項１９】
前記端末に転送する時間を設定するステップを更に備え、
前記転送ステップは、設定され前記転送時間に、前記転送の予約に基づいて、記憶されている前記コンテンツを転送することを特徴とする請求項１８に記載の情報転送方法。
【請求項２０】
所望のコンテンツを予約録画可能な電子機器において、
録画の予約がされたコンテンツを記憶媒体に転送することを予約する手段と、
前記コンテンツを受信するチューナと、
受信した前記コンテンツを所定の圧縮フォーマットで圧縮する手段と、
圧縮された前記コンテンツを記憶する手段と、
圧縮された前記コンテンツを前記転送の予約に従って前記記憶媒体に転送する転送手段と
を有することを特徴とする電子機器。
【請求項２１】
第１の時間に所定の記憶領域に記憶するように予約設定されたコンテンツを記憶媒体に転送する方法であって、
前記記録設定された前記コンテンツの転送を予約する転送予約ステップと、
前記転送の予約がされた前記コンテンツの識別情報を記憶するステップと、
記録が終了したコンテンツの識別情報を受信するステップと、
前記転送の予約がされた前記コンテンツの識別情報と記録が終了した前記コンテンツの識別情報とを照合するステップと、
前記識別情報が一致すると判断された場合に、当該一致した識別情報を記憶するステップと、
一致した前記識別情報に対応するコンテンツを前記所定の記憶領域から抽出して前記記憶媒体へ転送するステップと
を具備することを特徴とする情報転送方法。
【手続補正３】
【補正対象書類名】明細書
【補正対象項目名】０００１
【補正方法】変更
【補正の内容】
【０００１】
本発明は、外部機器と通信を行い、画像等の情報を外部機器へ転送することができる電子機器、情報転送装置、情報処理方法及びそのプログラムに関する。
【手続補正４】
【補正対象書類名】明細書
【補正対象項目名】０００４
【補正方法】変更
【補正の内容】
【０００４】
以上のような事情に鑑み、本発明の目的は、一方の装置において実体が生成されていない情報でも、予め当該情報の転送予約をしておき、実体が生成され次第自動的に他方の装置へ生成された情報を転送することができる電子機器、情報転送装置、情報転送方法及びそのプログラムを提供することにある。
【手続補正５】
【補正対象書類名】明細書
【補正対象項目名】０００５
【補正方法】変更
【補正の内容】
【０００５】
上記目的を達成するため、本発明の主たる観点に係る電子機器は、コンテンツを第１の時間に記録するように設定する記録設定手段と、前記記録設定手段による設定に基づいて、前記第１の時間に前記コンテンツを記録する記録手段と、前記記録設定手段により設定された少なくとも１つのコンテンツを、端末に転送するように設定する転送設定手段と、前記転送設定されたコンテンツが前記記録手段により記録が完了されたことを検出する検出手段と、前記記録の完了が検出されたコンテンツを前記端末へ転送する転送手段とを具備することを特徴としている。
【手続補正６】
【補正対象書類名】明細書
【補正対象項目名】０００９
【補正方法】変更
【補正の内容】
【０００９】
ここで、前記転送設定手段は、前記コンテンツを第２の時間に前記端末へ転送するように更に設定でき、前記転送手段は、前記第２の時間になったとき記録の完了が検出されている前記コンテンツを前記端末へ転送するものであってもよい。
【手続補正７】
【補正対象書類名】明細書
【補正対象項目名】００１１
【補正方法】変更
【補正の内容】
【００１１】
また、上記電子機器は、前記端末との接続を確認する確認手段を更に具備し、前記転送手段は、前記確認手段により前記端末との接続が確認されたときに前記コンテンツを前記端末へ転送するようにしてもよい。
【手続補正８】
【補正対象書類名】明細書
【補正対象項目名】００１５
【補正方法】変更
【補正の内容】
【００１５】
また、上記電子機器は、前記記録設定手段は、更に一定の日間隔の前記第１の時間に周期的に記録するように設定可能であるようにしてもよい。
【手続補正９】
【補正対象書類名】明細書
【補正対象項目名】００１７
【補正方法】変更
【補正の内容】
【００１７】
本発明の別の観点に係る情報転送装置は、第１の時間に所定の記憶領域に記録するように設定されたコンテンツを端末に転送する装置であって、前記記録設定された前記コンテンツの転送を予約する転送予約手段と、前記転送予約された前記コンテンツの識別情報を記憶する第１の記憶手段と、前記コンテンツの記録が終了したときに、当該コンテンツの識別情報と前記記憶手段により記憶された前記識別情報とを照合する照合手段と、前記照合手段により前記識別情報が一致すると判断された場合に、当該一致した前記識別情報を記憶する第２の記憶手段と、前記第２の記憶手段により記憶された前記識別情報に対応する前記コンテンツを、前記識別情報を基に前記所定の記憶領域から抽出して前記端末へ転送する転送手段とを具備することを特徴としている。
【手続補正１０】
【補正対象書類名】明細書
【補正対象項目名】００１８
【補正方法】変更
【補正の内容】
【００１８】
また、本発明の別の観点に係る情報転送方法は、第１の時間に所定の記憶領域に記録するように予約設定されたコンテンツを端末に転送する方法であって、前記記録の予約設定されたコンテンツの識別情報を記憶するステップと、記録が終了したコンテンツの識別情報を受信するステップと、前記記録の予約設定されたコンテンツの識別情報と記録が終了したコンテンツの識別情報とを照合するステップと、前記識別情報が一致すると判断された場合に、当該一致した識別情報を記憶するステップと、一致した前記識別情報に対応するコンテンツを前記所定の記憶領域から抽出して前記端末へ転送するステップとを具備することを特徴としている。
【手続補正１１】
【補正対象書類名】明細書
【補正対象項目名】００２２
【補正方法】変更
【補正の内容】
【００２２】
また、上記情報転送方法は、前記コンテンツを第２の時間に転送するように設定するステップを更に具備することを特徴とするようにしてもよい。
【手続補正１２】
【補正対象書類名】明細書
【補正対象項目名】００２４
【補正方法】変更
【補正の内容】
【００２４】
また、上記情報転送方法は、前記端末との接続を確認するステップを更に具備し、前記転送ステップは、前記端末との接続が確認されたときに前記コンテンツを前記端末へ転送するようにしてもよい。
【手続補正１３】
【補正対象書類名】明細書
【補正対象項目名】００２６
【補正方法】変更
【補正の内容】
【００２６】
また、上記情報転送方法において、前記転送ステップは、前記コンテンツが所定のフォーマットでない場合に、当該コンテンツを前記所定のフォーマットに変換するようにしてもよい。
本発明の他の観点に係る電子機器は、所望のコンテンツを予約録画可能な電子機器において、録画の予約がされたコンテンツを端末に転送することを予約する手段と、前記コンテンツを受信するチューナと、受信した前記コンテンツを所定の圧縮フォーマットで圧縮する手段と、圧縮された前記コンテンツを記憶する手段と、圧縮された前記コンテンツを前記転送の予約に従って前記端末に転送する転送手段とを有することを特徴としている。
上記電子機器は、前記端末の接続を検出する手段を更に備え、前記転送手段は、前記端末の接続を検出したときに前記転送の予約に基づいて、記憶されている前記コンテンツを転送するようにしてもよい。
上記電子機器は、記憶された前記コンテンツを前記端末に転送する時間を設定する手段を更に備え、前記転送手段は、設定された前記転送時間に、前記転送の予約に基づいて、記憶されている前記コンテンツを転送するようにしてもよい。
更に、本発明に係る他の情報転送方法は、予約録画したコンテンツを端末に転送する情報転送方法において、録画の予約がされたコンテンツを前記端末に転送することを予約するステップと、前記コンテンツを所定の圧縮フォーマットで圧縮するステップと、圧縮された前記コンテンツを記憶装置に記憶するステップと、前記転送の予約に従って、圧縮された前記コンテンツを前記記憶装置から読み出して前記端末に転送するステップとを有することを特徴としている。
上記情報転送方法は、前記端末に転送する時間を設定するステップを更に備え、前記転送ステップは、設定され前記転送時間に、前記転送の予約に基づいて、記憶されている前記コンテンツを転送するようにしてもよい。
また、本発明の他の観点に係る電子機器は、所望のコンテンツを予約録画可能な電子機器において、録画の予約がされたコンテンツを記憶媒体に転送することを予約する手段と、前記コンテンツを受信するチューナと、受信した前記コンテンツを所定の圧縮フォーマットで圧縮する手段と、圧縮された前記コンテンツを記憶する手段と、圧縮された前記コンテンツを前記転送の予約に従って前記記憶媒体に転送する転送手段とを有することを特徴としている。
更に、本発明に係る他の観点の情報転送方法は、第１の時間に所定の記憶領域に記憶するように予約設定されたコンテンツを記憶媒体に転送する方法であって、前記記録設定された前記コンテンツの転送を予約する転送予約ステップと、前記転送の予約がされた前記コンテンツの識別情報を記憶するステップと、記録が終了したコンテンツの識別情報を受信するステップと、前記転送の予約がされた前記コンテンツの識別情報と記録が終了した前記コンテンツの識別情報とを照合するステップと、前記識別情報が一致すると判断された場合に、当該一致した識別情報を記憶するステップと、一致した前記識別情報に対応するコンテンツを前記所定の記憶領域から抽出して前記記憶媒体へ転送するステップとを具備することを特徴としている。
【手続補正１４】
【補正対象書類名】明細書
【補正対象項目名】００２９
【補正方法】変更
【補正の内容】
【００２９】
まず、本発明において、据置型の電子機器から動画ストリーム等のデータが転送される端末としての携帯型ＨＤＤ動画再生装置について説明する。
【手続補正１５】
【補正対象書類名】明細書
【補正対象項目名】００４５
【補正方法】変更
【補正の内容】
【００４５】
なお、この実施形態の携帯型ＨＤＤ動画再生装置１００では、図３に示したように、筐体１の下部に吸気穴１２を設けたが、図１１に示すように、筐体１の背面側のバッテリパック２７のすぐ上の位置に吸気穴１２を設けてもよい。
【手続補正１６】
【補正対象書類名】明細書
【補正対象項目名】００７７
【補正方法】変更
【補正の内容】
【００７７】
次に、本実施形態において、これまで説明した携帯型ＨＤＤ動画再生装置１００へ動画ストリーム等のデータを転送するための据置型の電子機器について説明する。
【手続補正１７】
【補正対象書類名】明細書
【補正対象項目名】００７８
【補正方法】変更
【補正の内容】
【００７８】
本実施形態においては、電子機器としてＰＣ（Personal Computer）を適用し、当該ＰＣにおいて録画したテレビ番組等の動画ストリームを、上記携帯型ＨＤＤ動画再生装置１００へ転送する場合について説明する。
【手続補正１８】
【補正対象書類名】明細書
【補正対象項目名】０１１３
【補正方法】変更
【補正の内容】
【０１１３】
図２２は、タイマー転送で自動転送を行う場合の動作を示すフロー図である。同図に示すように、まず、転送アプリケーションは、上記ユーザの入力により、転送を行う時間を設定して、タイマーをＯＮにする（ＳＴ２２０１）。そして、設定した時刻になったか否かを判断し（ＳＴ２２０２）、設定時刻になったなら（ＳＴ２２０２のＹＥＳ）、ＯＳ（Operating System）からその旨の通知を受信する（ＳＴ２２０３）。そして、転送という指示を受信して（ＳＴ２２０４）、あとは手動転送の場合と同様に転送処理を行う（ＳＴ２２０５）。